(57)【要約】      （修正有）【課題】一般的な着物の裁断及び裁縫方法を大きく変えることなく、複数年に渡って着用することが可能な子供用着物を提供する。【解決手段】少なくとも二段以上に裄の長さが異なる肩揚げ５，５’と、少なくとも二段以上の腰揚げ２，４とを備えた子供用着物であって、当該着物を大きくするときには、肩揚げ５，５’及び腰揚げ２，４の揚げ縫いを行っている揚げ糸３１，３３，３４，３４’，３５，３５’，３６，３６’を一段階毎に切除するようになっており、各揚げを縫い止めている揚げ糸３１，３３，３４，３４’，３５，３５’，３６，３６’の色は、切除する順序に応じて、それぞれ相異なる色が用いられていると共に、肩揚げ５，５’及び腰揚げ２，４においては、切除する順序について、同じ色のものが用いられている。【選択図】図２
0003214483.tif 000002
【実用新案登録請求の範囲】
【請求項１】
少なくとも二段以上に裄の長さが異なる肩揚げと、少なくとも二段以上の腰揚げとを備えた子供用着物であって、当該着物を大きくするときには、前記肩揚げ及び腰揚げの揚げ縫いを行っている揚げ糸を一段階毎に切除するようになっており、各揚げを縫い止めている揚げ糸の色は、切除する順序に応じて、それぞれ相異なる色が用いられていると共に、前記肩揚げ及び腰揚げにおいては、切除する順序について、同じ色のものが用いられていることを特徴とする子供用着物。
【請求項２】
前記肩揚げは、揚げ山が一つであって、揚げ代の位置が異なる二つ以上の揚げ縫いが設けられている一方、前記腰揚げは、それぞれ異なる揚げ山と揚げ縫いとが設けられ、前記腰揚げの最も上に位置する腰揚げの揚げ山は、当該子供用着物の付け紐の上端位置に整合し、前記付け紐を上方に巻き込み揚げ縫いを設けることで形成されていることを特徴とする請求項１に記載の子供用着物。
【請求項３】
前記肩揚げと腰揚げは、それぞれ三段階のものが設けられており、最も小さい形から大きな形とするために解除する順に第一の揚げ、第二の揚げ及び第三の揚げとされており、各揚げを縫い止めている揚げ糸の色は、前記第一の揚げ、第二の揚げ及び第三の揚げについて、それぞれ相異なる色が用いられていると共に、前記肩揚げ及び腰揚げにおいては、着物を同じ大きさとする揚げについては、同じ色のものが用いられていることを特徴とする請求項１または２に記載の子供用着物。
【請求項４】
前記第一の揚げ、第二の揚げ及び第三の揚げを縫い止める揚げ糸の色は、順に青色、黄色及び赤色であることを特徴とする請求項３に記載の子供用着物。
【考案の詳細な説明】
【技術分野】
【０００１】
本考案は、子供用着物に関する。
【背景技術】
【０００２】
子供のときから和服を着ることによって、その長所を見出し、末永く和服に親しむことが可能と成り得る。しかしながら、子供の成長は非常に速く、一年を過ぎると先の年のものは背丈に合わなくなってしまう。このため、子供の背丈に合わせて、新たな着物を用意することもできるが、経済的とは言いにくい。この種の問題に対して、着物では揚げ寸法の縫い直しなどで対応することもできるが、相当な手間が必要となる。また、例えば写真館などにおいて、写真撮影の場のみで和服を着る場合には、背丈の相違する子供に対して、容易に着付けられる着物に関する工夫がある（特許文献１）。
【先行技術文献】
【特許文献】
【０００３】
【特許文献１】実用新案登録第３１３２４４８号
【考案の概要】
【考案が解決しようとする課題】
【０００４】
上記文献では、上半身用の上衣と、下半身用の下衣とに分けて着付けるというものであった。短時間だけ着物を着用する場合あれば、この方法も採用できる。しかし、恒常的かつ長期間に渡って、着物を着用可能としようとする場合には、更なる開発の余地が残されていた。
こうして、本考案の目的は、一般的な着物の裁断及び裁縫方法を大きく変えることなく、複数年に渡って着用することが可能な子供用着物を提供することである。
【課題を解決するための手段】
【０００５】
一般的に子供用着物には、一段階の肩揚げと腰揚げとが設けられている。本考案者は、これに着目し、予め複数の揚げを設けておき、子供の成長に合わせて、これを一つずつ解除していくことで、子供の成長に合わせられる着物の構造を見出し、基本的には本考案を完成するに至った。
こうして、本考案に係る子供用着物は、少なくとも二段以上に裄の長さが異なる肩揚げと、少なくとも二段以上の腰揚げとを備えた子供用着物であって、当該着物を大きくするときには、前記肩揚げ及び腰揚げの揚げ縫いを行っている揚げ糸を一段階毎に切除するようになっており、各揚げを縫い止めている揚げ糸の色は、切除する順序に応じて、それぞれ相異なる色が用いられていると共に、前記肩揚げ及び腰揚げにおいては、切除する順序について、同じ色のものが用いられていることを特徴とする。
上記考案において、前記肩揚げは、揚げ山が一つであって、揚げ代の位置が異なる二つ以上の揚げ縫いが設けられている一方、前記腰揚げは、それぞれ異なる揚げ山と揚げ縫いとが設けられ、前記腰揚げの最も上に位置する腰揚げの揚げ山は、当該子供用着物の付け紐の上端位置に整合し、前記付け紐を上方に巻き込み揚げ縫いを設けることで形成されていることを特徴とする。
「子供用着物」とは、反物あるいは洋服地を裁断、裁縫することで作製可能な子供用の和服のことを意味しており、ゆかたも含まれる。
最も上に位置する腰揚げの揚げ山は、付け紐を上方に巻き込むことで、形成する。このとき、揚げが付け紐を上側に巻き込めば良く、巻き込み方向としては、裏側（揚げが表側から見える態様）または表側（揚げが表側から見えない態様）のいずれでも良い。
【０００６】
この考案によれば、少なくとも二段以上の肩揚げと腰揚げが設けられている。各揚げを縫っている揚げ糸を一段階毎に切除することで、順々に大きな着物とすることができる。また、本考案者の検討によれば、子供が成長する場合に、着物の付け紐の位置を初めは高めに設けておき、一段階目に大きくするときに低くすることが好ましいことが分かった。このため、第一の腰揚げの揚げ山は、付け紐を上方に移動させるように、付け紐の上端位置に整合させることが好ましい。但し、付け紐を巻き込んだ揚げは、二段目に切断するようにしても良い。
本考案において、前記肩揚げと腰揚げは、それぞれ三段階のものが設けられており、最も小さい形から大きな形とするために解除する順に第一の揚げ、第二の揚げ及び第三の揚げとされており、各揚げを縫い止めている揚げ糸の色は、前記第一の揚げ、第二の揚げ及び第三の揚げについて、それぞれ相異なる色が用いられていると共に、前記肩揚げ及び腰揚げにおいては、着物を同じ大きさとする揚げについては、同じ色のものが用いられていることが好ましい。
【０００７】
上記構成によれば、最も小さい状態の着物から一段階大きくする場合には、肩揚げと腰揚げの第一の揚げを縫い止めている揚げ糸を切除する。このとき、肩揚げと腰揚げを縫い止めている揚げ糸の色が同じなので、間違って別の揚げ糸を切断する事態を回避できやすくなる。
また、上記構成において、第一の揚げ、第二の揚げ及び第三の揚げを縫い止める揚げ糸の色は、順に青色、黄色及び赤色であることが好ましい。
各揚げ位置において、肩揚げと腰揚げについて、同色のものを用いれば良いが、色の順を間違いにくくすれば、更に揚げ糸の誤切断を回避しやすくなる。そこで、信号機の色に合わせて、青・黄・赤の三色を用いた。このようにすれば、切断する糸の色の順序を間違うことが少なくできる。
【考案の効果】
【０００８】
本考案によれば、通常の着物の裁断及び裁縫方法を大きく変えることなく、複数年に渡って着用することが可能な子供用着物を提供できる。
【図面の簡単な説明】
【０００９】
【図１】本実施形態の子供用着物に揚げを施す前の正面図である。
【図２】全ての揚げを施したときの子供用着物の正面図である。
【図３】図２に示す子供用着物の背面図である。
【図４】図２におけるＡ−Ａ線断面図（着物の表側の布地）である。
【図５】図２におけるＢ−Ｂ線断面図（着物の表側の布地）である。
【図６】第一の腰揚げと第一の肩揚げを解除したときの子供用着物の正面図である。
【図７】図６に示す子供用着物の背面図である。
【図８】図６におけるＣ−Ｃ線断面図（着物の表側の布地）である。
【図９】図６におけるＤ−Ｄ線断面図（着物の表側の布地）である。
【図１０】第二の腰揚げと第二の肩揚げまでを解除したときの子供用着物の正面図である。
【図１１】図１０に示す子供用着物の背面図である。
【図１２】図１０におけるＦ−Ｆ線断面図（着物の表側の布地）である。
【図１３】図１０におけるＧ−Ｇ線断面図（着物の表側の布地）である。
【図１４】同じ型紙で作製した子供用着物について、全ての揚げを施したもの（左側）、第一の腰揚げと第一の肩揚げを解除したもの（中央）、第二の腰揚げと第二の肩揚げまで解除したもの（右側）をトルソーに着付けたときの正面写真図である。
【図１５】同じ型紙で作製した子供用着物について、全ての揚げを施したもの（左側）、第一の腰揚げと第一の肩揚げを解除したもの（中央）、第二の腰揚げと第二の肩揚げまで解除したもの（右側）をトルソーに着付けたときの背面写真図である。
【考案を実施するための形態】
【００１０】
次に、本考案の実施形態について、図を参照しつつ説明する。本考案の技術的範囲は、これらの実施形態によって限定されるものではなく、考案の要旨を変更することなく様々な形態で実施することができる。
図１には、本実施形態の子供用着物１に揚げを施す前の様子を示した。子供用着物１は、例えば身長１２０ｃｍ程度の大きさに合わせた程度に作製されている。これに本実施形態の腰揚げ２，３，４及び肩揚げ５，５’を適当に施すことにより、１００ｃｍ及び１１０ｃｍ程度の身長にも合わせることができる。
子供用着物１は、一般的な子供用の着物の形に整合して作製されており、生地を適当に裁断及び裁縫することにより、胴体部２０と袖１２，１３とを備えて構成されている。胴体部２０には、前身頃８，９、おくみ１０、後見頃１１、衿１４、身八つ口８Ａ，９Ａなどが設けられている。また、袖１２，１３には、袖口１２Ａ、１３Ａが設けられている。衿１４の内側には、４個のスナップ１５が縫いつけられている。ここには別体としての衿体１６に設けられたホック１７が取り付けられることで、子供用着物１とは別柄の衿体１６が着脱可能に固定される。衿１４の下方には、左右に付け紐１８，１９が取付けられている。子供用着物１を左前として着付ける際には、図中の付け紐１９は、身八つ口８Ａを通すことで、胴体部２０の外面側に導出し、反対側の付け紐１８と結びつけられる。
【００１１】
胴体部２０の両肩部分には、それぞれ三段階の長さに肩揚げ５，５’を作成するための揚げ山２４，２４’が設けられている。なお、肩揚げ５，５’については、裄の長さが異なる三段階のものが存在する。但し、表面側から見たときには、揚げ山２４，２４’の位置はいずれも同じであるため同じ符号で説明する。揚げ山２４，２４’よりも袖口１２Ａ，１３Ａの位置には、最も揚げ幅が大きな肩揚げ５，５’の位置を規定する谷部３７，３７’となる。
胴体部２０の高さ方向の中央付近から下方には、全周囲に沿って設けられる三段階の腰揚げ２，３，４を作成するための揚げ山２１，２２，２３と、各揚げ山に対応して谷部分となる谷部２６，２７，２８が設けられている。このうち、最も上側に位置する第一の腰揚げ２を規定する揚げ山２１の位置は、付け紐１８，１９の上端位置に整合するようになっており、谷部２６は、付け紐１８，１９の下端付近に設けられるようになっている。なお、本実施形態では中央に位置する第三の腰揚げ４が、一般的な子供用着物の腰揚げに対応する。
【００１２】
図２及び図３には、全ての揚げ２，３，４，５，５’を施したときの子供用着物１の正面の様子を示した。一般的な子供用着物の場合には、揚げ糸は着物の表側からは見え難く処理している。しかし、本実施形態においては、敢えて外方から見えやすいような縫い方が施されている。
腰揚げ２，３，４には、それぞれ異なる揚げ山２１，２２，２３と揚げ糸３１，３２，３３によって構成されている。最も上側に位置する第一の腰揚げ２は、付け紐１８，１９を上方に一段まくり上げるようにして構成されている。子供の身長が小さいときには、付け紐１８，１９が上側にある方が、子供用着物１を着付けたときの状態が好ましくなるためである。また、最も上側に位置する第一の腰揚げ２の揚げ糸３１は青色のものが、下段に位置する第二の腰揚げ３の揚げ糸３２は黄色のものが、中央に位置する第三の腰揚げ４の揚げ糸３３は赤色のものが用いられている。なお、黄色の揚げ糸３２は、表面側からは視認できず、着物の裏面側のみから視認可能となっている。
【００１３】
図４に示すように、腰揚げ２，３，４のうち、上に位置する第一の腰揚げ２と、前側の下段に位置する第三の腰揚げ４は、表面側（外方から見える面側）に位置しており、第二の腰揚げ３は、裏面側（外方から見えない面側）に位置している。子供用着物１の大きさを大きくするには、揚げ糸３１，３２，３３を順番に切除する。すなわち、一段階大きくするには揚げ糸３１を、二段階大きくするには揚げ糸３２を、三段階大きくするには揚げ糸３３を切除する（なお、子供用着物１については、腰揚げが存在することによって、かわいさを示すという意図もあるため、三段階目の揚げ糸３３は基本的に切除しないことが多い）。
一方、肩揚げ５，５’は、左右について、それぞれ揚げ山２４，２４’が一つであって、揚げ代の位置が異なる三段の揚げ縫い（揚げ糸３４，３４’，３５，３５’，３６，３６’）が施されている（図５を併せて参照。図５において、下側が表側である。）。一段目の揚げ糸３４，３４’については、（一段目の腰揚げ２の揚げ糸３１と同じ）青色のものが、二段目の揚げ糸３５，３５’については、（二段目の腰揚げ３の揚げ糸３２と同じ）黄色のものが、三段階目の揚げ糸３６，３６’については、（三段目の腰揚げ４の揚げ糸３３と同じ）赤色のものが用いられている。このため、揚げ糸３４，３４’，３５，３５’，３６，３６’については、子供用着物１を最も小さな形態としたときには、青・黄・赤の全ての色が、次に大きな形態としたときには、黄・赤の二色が、更に大きな形態としたときには、赤色の一色が、それぞれ外面から視認できるようになっている。子供用着物１の大きさを大きくする（裄を順々に長くする）には、内側（首に近い側）から揚げ糸を切除していく。すなわち、一段階大きくするには揚げ糸３４，３４’を、二段階大きくするには揚げ糸３５，３５’を、三段階大きくするには揚げ糸３６，３６’を、それぞれ切除する（なお、子供用着物１については、肩揚げが存在することによって、かわいさを示すという意図もあるため、三段階目の揚げ糸３６，３６’は基本的には切除しないことが多い）。
【００１４】
次に、上記のように構成された本考案の作用及び効果について説明する。
図６〜図９には、図２〜図５に示す形態から、一段階大きくしたときの子供用着物１を示した。一段階大きくするには、腰揚げ２の揚げ糸３１を切除すると共に、肩揚げ５，５’の揚げ糸３４，３４’を切除する。肩揚げ５，５’の部分が、一段階大きくなるので、着物の裏側では、谷部３８，３８’が袖口１２Ａ，１３Ａの位置（裄の長さ）を規定することになる。このとき、肩揚げ５，５’と腰揚げ２を縫い止めている揚げ糸３１，３４，３４’の色が同じ青色なので、間違って別の揚げ糸３２，３３，３５，３５’，３６，３６’を切断する事態を回避できやすい。こうして、最も小さいときの揚げが一段階開放されるので、一回り大きな子供用着物１となる。なお、身長の伸びと手の長さの伸びとが一致しない場合には、揚げ糸３１と揚げ糸３４，３４’の切除は、必ずしも同じ時期に行われる必要はない。
次に、図１０〜図１３には、図６〜図９に示す形態から、更に一段階大きくした子供用着物１を示した。この大きさとするには、腰揚げ３の揚げ糸３２を切除すると共に、肩揚げ５，５’の揚げ糸３５，３５’を切除する。肩揚げ５，５’の部分が、一段階大きくなるので、着物の裏側では、谷部３９，３９’が袖口１２Ａ，１３Ａの位置（裄の長さ）を規定することになる。なお、この位置の肩揚げ５，５’が、一般的な子供用着物の肩揚げに対応する。このとき、肩揚げ５，５’と腰揚げ３を縫い止めている揚げ糸３２，３５，３５’の色が同じ黄色なので、間違って別の揚げ糸３３，３６，３６’を切断する事態を回避できやすい。こうして、更に一回り大きな子供用着物１となる。なお、身長の伸びと手の長さの伸びとが一致しない場合には、揚げ糸３２と揚げ糸３５，３５’の切除は、必ずしも同じ時期に行われる必要はない。
【００１５】
実際の子供用着物１の着付けに際しては、着物を羽織り、付け紐１８，１９を用いて結び固定した後に、別体の帯を巻き付け、結び固定する。図１４及び図１５には、同じ型紙で作製した子供用着物１について、全ての揚げを施したもの（左側）、一段階大きくしたもの（中央）、二段階大きくしたもの（右側）をトルソーに着付けたときの様子を示した。
このように、本実施形態によれば、通常の着物の裁断及び裁縫方法を大きく変えることなく、複数年に渡って着用することが可能な子供用着物を提供できた。
また、本実施形態によれば、少なくとも二段以上（三段）の肩揚げ５，５’と腰揚げ２，３，４が設けられている。各揚げを縫っている揚げ糸３１，３２，３３，３４，３４’，３５，３５’，３６，３６’を一段階毎に切除することで、順々に大きな着物とすることができた。
また、各揚げにおいて、揚げ糸３１，３２，３３，３４，３４’，３５，３５’，３６，３６’の誤切断を回避しやすくするため、信号機の色に合わせて、青・黄・赤の三色を用いたので、切断する揚げ糸の色の順序を間違うことが少なくできた。
【００１６】
＜変形例＞
本実施形態では、肩揚げ５，５’の揚げ山２４，２４’の首方向に、揚げの谷部分３７，３７’，３８，３８’，３９，３９’を位置させたが、本考案によれば、肩揚げの揚げ山の袖方向に、揚げの谷部分を位置させることもできる。
本実施形態では、肩揚げ５，５’と腰揚げ２，３，４とは、それぞれ三段階の大きさとなるように設定されているが、本考案によれば、二段階または四段階以上の大きさとなるように設定することもできる。
【符号の説明】
【００１７】
１…子供用着物
２，３，４…腰揚げ
５，５’…肩揚げ
１２Ａ，１３Ａ…袖口
１８，１９…付け紐
２１，２２，２３…腰揚げの揚げ山
２４，２４’…肩揚げの揚げ山
３１，３２，３３…腰揚げの揚げ糸
３４，３４’，３５，３５’，３６，３６’…肩揚げの揚げ糸
【図１】
0003214483.tif 000003
【図２】
0003214483.tif 000004
【図３】
0003214483.tif 000005
【図４】
0003214483.tif 000006
【図５】
0003214483.tif 000007
【図６】
0003214483.tif 000008
【図７】
0003214483.tif 000009
【図８】
0003214483.tif 000010
【図９】
0003214483.tif 000011
【図１０】
0003214483.tif 000012
【図１１】
0003214483.tif 000013
【図１２】
0003214483.tif 000014
【図１３】
0003214483.tif 000015
【図１４】
0003214483.tif 000016
【図１５】
0003214483.tif 000017